(57)【要約】【課題】デジタルカメラによるＲＡＷデータをパソコン等の情報端末に簡易迅速に表示する。【解決手段】撮像手段の出力信号そのままの画像データを出力するデジタルカメラ１０。出力信号そのままの画像データ（ＲＡＷデータ）が記録されるファイルには、画像データを元に異なる複数の信号処理を施して作成された複数のプレビュー画像の画像データが記録される。【選択図】　　　　　図３
2004129065.tif 000002
【特許請求の範囲】
【請求項１】
撮像手段の出力信号そのままの画像データを出力するデジタルカメラであって、
前記出力信号そのままの画像データが記録されるファイルには、前記画像データを元に異なる複数の信号処理を施して作成された複数のプレビュー画像の画像データが記録されていることを特徴とするデジタルカメラ。
【請求項２】
前記複数のプレビュー画像には、それぞれのプレビュー画像作成時の信号処理条件が付記される請求項１に記載のデジタルカメラ。
【発明の詳細な説明】
【０００１】
【発明の属する技術分野】本発明は、デジタルカメラに係り、特に、撮像手段の出力信号そのままの画像データを出力できるデジタルカメラに関する。
【０００２】
【従来の技術】
デジタルカメラでは、撮影前に被写体の画像を連続表示して、撮影される画像を確認した上で撮影したり、撮影済みの画像を再生表示して確認したりすることができる。特に、撮影した画像を撮影直後に再生する機能は利便性が高い。
【０００３】
このようなデジタルカメラでは、撮影した画像データを画像表示部での画像再生に適した画像信号形態に変換した後、記録媒体へ記録されたり（たとえば、輝度Ｙ信号、色差Ｒ−Ｙ信号、色差Ｂ−Ｙ信号の組み合わせや、ＲＧＢ信号の組み合わせ等が画像信号形態として用いられる）、撮像手段（ＣＣＤ撮像素子等）の出力信号がそのまま記録媒体へ記録されたり（特許文献１、特許文献２参照。）している。
【０００４】
後者の場合、撮像手段の出力信号そのままの画像データ（以下、撮像手段の出力信号そのままの画像データを「ＲＡＷデータ」と記述する。）が利用され、撮像手段の画素構成、特性等を生かした画像を得ることができ、利用者による画像補正処理時にも、画像劣化のない処理が可能である。
【０００５】
このようなＲＡＷデータの画像補正処理の一例として、ホワイトバランス（ＷＢ）調整処理が挙げられる。この調整処理は、ＲＡＷデータのそれぞれの色信号に対するゲインを変更することにより、適切な色調の画像データを得るものである。デジタルカメラに内蔵のホワイトバランス調整機能は、撮影前の設定に応じた色ゲインデータにより、ホワイトバランス調整処理を行う。そして、画像再生に適した画像信号形態に変換する場合には、ホワイトバランス調整処理を施した画像データが用いられる。
【０００６】
ホワイトバランスの設定は、光源条件（屋外、日陰、照明の種類）に対応した設定の他、撮影シーンに応じた自動調整（オートホワイトバランス）も可能である。設定に応じて得られる色ゲインデータは、ＣＣＤ撮像素子の種類、個体毎の特性差があるため、同じ設定でも、撮影に使用したカメラ毎に異なる。また、オートホワイトバランス調整も、カメラの種類、個体の特性に応じたアルゴリズムによって行われる。
【０００７】
ところが、出力されたＲＡＷデータに対して色補正を行う際に、撮影時の設定の誤りに気付いた場合等、異なる光源条件での画像となるような調整をしたい場合があるが、各種光源条件に応じた色ゲインは、カメラ毎に異なるため、事実上困難である。
【０００８】
このような事情に鑑み、出力後にデジタルカメラに固有に設定された異なる光源条件でのホワイトバランス調整処理を施すことを可能とするＲＡＷデータを出力するデジタルカメラも提案されている。
【０００９】
【特許文献１】
特開平１１−２６１９３３号公報
【００１０】
【特許文献２】
特開２００１−２２３９７９
【００１１】
【発明が解決しようとする課題】
しかしながら、上記従来のデジタルカメラによる映像であっても、ＲＡＷデータをパーソナルコンピュータ（以下、パソコンと言う）等の情報端末に表示する場合には、汎用的な可視画像とするために何段階もの信号処理が必要になり（たとえば、ホワイトバランス条件の処理、トーンカーブ条件の処理、シャープネス条件の処理、等）、長時間を要する。たとえば、同じ画像をデジタルカメラで行なえば、ハードウェアの処理により１秒以内で済む場合でも、パソコンではソフトウェアの処理により２０秒前後を要する。
【００１２】
本発明はこのような事情に鑑みてなされたもので、デジタルカメラによるＲＡＷデータをパソコン等の情報端末に表示する場合に、簡易迅速に表示することが可能となる、ＲＡＷデータを出力するデジタルカメラを提供することを目的とする。
【００１３】
【課題を解決するための手段】
前記目的を達成するために、本発明は、撮像手段の出力信号そのままの画像データを出力するデジタルカメラであって、前記出力信号そのままの画像データが記録されるファイルには、前記画像データを元に異なる複数の信号処理を施して作成された複数のプレビュー画像の画像データが記録されていることを特徴とするデジタルカメラを提供する。
【００１４】
本発明によれば、デジタルカメラによるＲＡＷデータをパソコン等の情報端末に表示する場合に、ファイルにプレビュー画像の画像データが記録されているので、これらを簡易迅速に表示することができる。
【００１５】
本発明において、前記複数のプレビュー画像には、それぞれのプレビュー画像作成時の信号処理条件が付記されることが好ましい。このような信号処理条件、たとえば、ホワイトバランス条件、トーンカーブ条件及びシャープネス条件が付記されたプレビュー画像が得られれば、本発明の目的が容易に達成できるからである。
【００１６】
【発明の実施の形態】
以下、本発明の実施の形態について、各図にしたがって説明する。図１は、本発明に係るデジタルカメラ１０を示す概略構成図である。デジタルカメラ１０は、レンズ部１２、撮像手段である撮像デバイス１４、及び駆動部１６を含む撮像部と、アナログ信号処理部１８、Ａ／Ｄ変換部２０、デジタル信号処理部２２、出力用メモリ２４、及び圧縮伸張処理部２６を含む信号処理部と、メディアインタフェース３０及び画像モニタ３２を含む出力部と、モード切換えスイッチ、レリーズボタン等を含む操作部３４と、デジタルカメラ１０の全体を制御するシステム制御部２８とを含んで構成される。
【００１７】
撮像部の構成は、従来のデジタルカメラと略同様である。レンズ部１２を透過した光は、ＣＣＤ等の撮像デバイス１４の上に焦点を結び、撮像デバイス１４より撮影画像信号が出力される。撮像画像信号の取得に際しては、システム制御部２８により駆動部１６を介してレンズ部１２及び図示しない絞りの制御が行われる。撮像デバイス１４は、レリーズボタン（図示せず）の操作により、所定のタイミングで、タイミングジェネレータ（図示せず）を含む駆動部１６によって駆動され、撮影画像信号が出力される。
【００１８】
出力された撮影画像信号はアナログ信号処理部１８によってアナログ信号処理された後、Ａ／Ｄ変換部２０でデジタル信号に変換され、ＲＡＷデータとしてデジタル信号処理部２２に送られる。デジタル信号処理部２２では、操作部３４によって設定された動作モードに応じたデジタル信号処理が行われ、得られた画像データは出力用のメモリ２４に一時的に記憶される。
【００１９】
デジタル信号処理部２２が行う処理にはホワイトバランス調整、Ｙ／Ｃ処理、ガンマ補正処理等が含まれる。デジタル画像処理を経た画像データに基づく画像を、画像モニタ３２に表示する場合には、出力用メモリ２４の内容が読み出されて画像モニタ３２に送られる。出力用メモリ２４の画像データは圧縮伸張処理部２６で圧縮処理された後、又は直接メディアインタフェース３０を経て、図示しないメモリカード等の記録メディアに記録される。画像モニタ３２には記録メディアの画像データに基づく画像も表示可能である。
【００２０】
また、デジタル信号処理部２２では、システム制御部２８より与えられる信号処理（ホワイトバランス条件の処理、トーンカーブ条件の処理、シャープネス条件の処理、等）の諸条件を用い、ＲＡＷデータを処理することによりプレビュー画像の画像データが作成され、これがＲＡＷデータとともに出力用メモリ２４に蓄積される。
【００２１】
システム制御部２８は、撮影動作を含むデジタルカメラ全体の制御を行う。すなわち、システム制御部２８は所定のプログラムによって動作するプロセッサを主体に構成されており、その内部にプログラム、動作に必要な各種データを記憶するメモリ、ワークメモリ等を備えている。
【００２２】
操作部３４は、デジタルカメラ使用時の各種操作を行うために設けられており、撮影時の各種設定（たとえば、撮影方法、撮影条件、撮影画像情報の処理方法の設定）、及びメディアに対する記録モードの設定等が行えるように構成されている。操作部３４には、それぞれの機能に対応する操作部材を設けてもよいが、画像モニタ３２の表示と連動して操作部材を共用してもよい。
【００２３】
操作部３４で設定される撮影条件として、たとえば、ホワイトバランスの設定が挙げられる。この設定では、光源条件（屋外、日陰、照明の種類、等）に対応したマニュアル設定、及び、撮影シーンに応じて自動的にホワイトバランスを調整するオートホワイトバランスの設定が可能である。メディアに対する記録モード設定として、圧縮画像データの記録モードとＲＡＷデータの記録モードとを含んでおり、圧縮モードの設定時には、圧縮率の設定も可能である。
【００２４】
次に、デジタル信号処理部２２等における信号処理の例について説明する。以下は、ホワイトバランスが「　オートホワイトバランス」　に設定され、記録モードが「　ＲＡＷデータ」　に設定されている状態で、撮影を行った場合についての例である。デジタル信号処理部２２では、Ａ／Ｄ変換部２０からのＲＡＷデータに、オートホワイトバランス調整処理が施され、更に、ガンマ補正、補間処理、Ｙ／Ｃ処理等が行われ、画像モニタ３２に表示可能な形式の画像データとされ、出力用メモリ２４に書き込まれる。画像モニタ３２では、この書き込まれた画像データに基づいてスルー画像が表示される。なお、スルー画像の表示が行われない場合には、ガンマ補正、補間処理、Ｙ／Ｃ処理等は、不要となる。
【００２５】
また、デジタル信号処理部２２では、ＲＡＷデータにオートホワイトバランス調整処理が施され、撮影シーンに応じた色補正ゲイン（Ｒゲイン、Ｇゲイン、Ｂゲイン）が求められ、ＲＡＷデータとともに、出力用メモリ２４に書き込まれる。また、この色補正ゲインによるプレビュー画像データが求められ、出力用メモリ２４に書き込まれる。
【００２６】
出力用メモリ２４のＲＡＷデータ及びオートホワイトバランス調整処理によって求められた色ゲインデータは、マニュアルで設定可能な光源条件（屋外、日陰、照明の種類、等）に対応したホワイトバランス調整を行うために、予め記憶された色ゲインデータとともに、メディアインタフェース３０を介して図示しない記録メディア（メモリーカード等）に記録される。このとき、撮影付属情報等も１つの画像ファイルとして記録メディアに記録される。
【００２７】
以上のような撮影動作及び記録動作の制御は、システム制御部２８によってなされる。また、光源条件（屋外、日陰、照明の種類、等）に対応したマニュアル設定に基づく色ゲインデータ等は、メモリに記憶されたものが使用される。
【００２８】
図２は、ＲＡＷデータが記録された画像ファイルの一例を示す概略構成図であり、画像ファイルのデータフォーマットの一例を示す。画像ファイル４０は、ヘッダ部４２と画像データ部４４とを含み、ヘッダ部４２には、機種情報４２ａ、プレビュー画像データ等（画像補正用パラメータを含む）４２ｂ、撮影付属情報４２ｃが含まれる。
【００２９】
機種情報４２ａは、カメラの撮像部を特定するためのものであり、機種を特定することによって、画素数、画像配列、アナログ信号処理方式、Ａ／Ｄ変換のビット数等が特定される。プレビュー画像データ等４２ｂについは後述する。撮影付属情報４２ｃには、撮影年月日や、シャッタ速度、絞り値、露光モード等の撮影条件が含まれる。これらを含むヘッダ部４２の画像ファイルに占める割合は少なく、プレビュー画像データが新たに加わっても、使用メモリ領域が数％増加するに過ぎない。
【００３０】
図３は、図２の一部を詳細に示した一例を示す概略構成図であり、ヘッダ部４２、特にプレビュー画像データ等４２ｂについて詳細に示すものである。プレビュー画像データ等４２ｂのうち、画像補正用パラメータは、ＲＡＷデータに対する処理を補助する情報であり、ホワイトバランス調整用の色ゲインデータ等が含まれる。
【００３１】
同図に示されるように、色ゲインデータは、撮影時に設定されたホワイトバランスに対応した色ゲインデータ（Ｒゲイン、Ｇゲイン、Ｂゲイン）と、光源条件（晴れ、日陰、照明の種類）に対応して予め調整された色ゲインデータ（Ｒゲイン、Ｇゲイン、Ｂゲイン）からなる。同図の例では光源条件として、「晴れ」、「日陰」、「蛍光灯Ｄ５０」、「蛍光灯昼光」が設定可能となっている。
【００３２】
また、それぞれの光源条件（晴れ、日陰、等）毎にプレビューのＪＰＥＧ画像データが記録されている。
【００３３】
画像データ部４４には、Ａ／Ｄ変換部２０からのＲＡＷデータが、撮像デバイス１４の画素数、画素配列、色（ＲＧＢ）成分にしたがって、順次記録されている。なお、この例では画像表示部での画像再生に適した画像信号形態の画像データと、ＲＡＷデータとのいずれか一方を選択的に出力できるとして説明したが、両方を出力するようにしてもよい。その場合、ＲＡＷデータの画像補正用パラメータとして、ホワイトバランス調整に使用した色ゲインデータのみならず、オプティカルブラック補正データ、階調補正データ等を含めることが好ましい。
【００３４】
図４は、図２の一部を詳細に示した他の一例を示す概略構成図であり、ヘッダ部４２、特にプレビュー画像データ等４２ｂについて詳細に示すものである。なお、図３と同一・類似の部分については説明を省略する。この例では、各プレビュー画像毎に各種信号処理（ホワイトバランス条件の処理、トーンカーブ条件の処理、シャープネス条件の処理、等）の条件がプレビュー画像データとともに記録されている。
【００３５】
次に、出力用メモリ２４等に書き込まれた画像データをパソコン等の情報端末に表示する場合の例について説明する。図５は、パソコンの表示画面の一例を示す概略図である。表示画面５０には、左半分にプレビュー画面５２が、右半分に各種スイッチ５４〜６４が配されている。この表示画面５０はマニュアルホワイトバランスのプレビューを行う例であり、各光源条件に対応する、晴れスイッチ５４、日陰スイッチ５６、蛍光灯Ｄ５０スイッチ５８、蛍光灯昼光スイッチ６０、等が設けられており、また、変更スイッチ６２、ＯＫスイッチ６４も設けられている。
【００３６】
これらのスイッチ５４〜６０は、各光源条件を選択するためのもので、マウスのポインタを各スイッチ５４〜６０の▽マークに合わせ、クリックすることにより操作する。また、変更スイッチ６２は光源条件を変更する際に、ＯＫスイッチ６４は条件を確定させる際にそれぞれ使用する。
【００３７】
図６は、パソコンの表示画面の他の一例を示す概略図である。この表示画面５０もホワイトバランスのプレビューを行う例である。ただし図５と異なり、各光源条件を選択しなくても、表示画面５０には複数の光源条件のプレビュー画面５２ａ、５２ｂ…が表示される。すなわち、晴れプレビュー画面５２ａ、日陰プレビュー画面５２ｂ、蛍光灯Ｄ５０プレビュー画面５２ｃ、蛍光灯昼光プレビュー画面５２ｄ…が表示されている。これにより、各光源条件のプレビュー状態が一目で比較判断できる。
【００３８】
以上に説明したプレビュー画面表示等の処理手順を実施するためのハードウェア及びソフトウェアは、いずれも公知の各種手段を採用することにより実現できるので、ここでは詳細な説明は省略する。たとえば、ハードウェアとしては図１に示したデジタルカメラ１０が採用でき、ソフトウェアとしては既存のデジタルカメラ駆動用のソフトが採用できる。
【００３９】
以上、本発明に係るデジタルカメラの実施形態の例について説明したが、本発明は上記実施形態の例に限定されるものではなく、各種の態様が採り得る。
【００４０】
【発明の効果】
以上説明したように、本発明によれば、デジタルカメラによるＲＡＷデータをパソコン等の情報端末に表示する場合に、ファイルにプレビュー画像の画像データが記録されているので、これらを簡易迅速に表示することができる。
【図面の簡単な説明】
【図１　】本発明の実施の形態のデジタルカメラを示す概略構成図
【図２】ＲＡＷデータが記録された画像ファイルの一例を示す概略構成図
【図３】図２の一部を詳細に示した一例を示す概略構成図
【図４】図２の一部を詳細に示した他の一例を示す概略構成図
【図５】パソコンの表示画面の一例を示す概略図
【図６】パソコンの表示画面の他の一例を示す概略図
【符号の説明】
１０…デジタルカメラ、１２…レンズ部、１４…撮像デバイス、１６…駆動部、２０…Ａ／Ｄ変換部、２２…デジタル信号処理部、２４…メモリ、２６…圧縮伸張処理部、２８…システム制御部、３０…メディアインタフェース、３２…画像モニタ、３４…操作部、４０…画像ファイル、４２…ヘッダ部、４４…画像データ部
【図１】
2004129065.tif 000003
【図２】
2004129065.tif 000004
【図３】
2004129065.tif 000005
【図４】
2004129065.tif 000006
【図５】
2004129065.tif 000007
【図６】
2004129065.tif 000008